(57)【要約】【課題】撮像画像が連続的に画像表示部に表示されるモードに設定されていない場合であっても、特定の被写体の撮像状態をユーザが認識できるようにする。【解決手段】本発明は、被写体を撮像する撮像手段と、前記撮像手段により撮像されている撮像画像を画像表示部に表示する表示制御手段と、前記撮像手段により撮像されている撮像画像から特定の被写体を検出する検出手段と、前記表示制御手段により撮像画像を画像表示部に連続的に表示する撮像画像表示モードと撮像画像を画像表示部に表示しない撮像画像非表示モードとの何れかのモードに設定するモード設定手段とを有する撮像装置であって、前記モード設定手段により撮像画像非表示モードが設定されている場合、前記表示制御手段は、前記検出手段による検出結果に応じた画像を画像表示部に表示することを特徴とする。【選択図】図５
2010288240.tif 000002
【特許請求の範囲】
【請求項１】
被写体を撮像する撮像手段と、
前記撮像手段により撮像されている撮像画像を画像表示部に表示する表示制御手段と、
前記撮像手段により撮像されている撮像画像から特定の被写体を検出する検出手段と、
前記表示制御手段により撮像画像を画像表示部に連続的に表示する撮像画像表示モードと撮像画像を画像表示部に表示しない撮像画像非表示モードとの何れかのモードに設定するモード設定手段とを有する撮像装置であって、
前記モード設定手段により撮像画像非表示モードが設定されている場合、
前記表示制御手段は、前記検出手段による検出結果に応じた画像を画像表示部に表示することを特徴とする撮像装置。
【請求項２】
前記モード設定手段により撮像画像非表示モードが設定されている場合、
前記表示制御手段は、前記撮像手段により撮像されている撮像画像から切り出され、前記検出手段により検出された特定の被写体の画像を画像表示部に表示することを特徴とする請求項１に記載の撮像装置。
【請求項３】
前記表示制御手段は、画像表示部内の所定の位置に前記特定の被写体の画像を表示することを特徴とする請求項２に記載の撮像装置。
【請求項４】
前記表示制御手段は、撮像画像内における前記特定の被写体の位置をユーザが識別できるように表示することを特徴とする請求項３に記載の撮像装置。
【請求項５】
前記表示制御手段は、撮像画像内における前記特定の被写体の位置に対応させて、画像表示部内に前記特定の被写体の画像を表示することを特徴とする請求項２に記載の撮像装置。
【請求項６】
前記表示制御手段は、前記特定の被写体の画像と共に該撮像装置に設定されている撮影情報を表示することを特徴とする請求項２乃至５の何れか１項に記載の撮像装置。
【請求項７】
前記切り出された特定の被写体の画像をリサイズするリサイズ手段を更に有し、
前記表示制御手段は、前記リサイズ手段によりリサイズされた画像を画像表示部に表示することを特徴とする請求項２乃至６の何れか１項に記載の撮像装置。
【請求項８】
前記検出手段は、前記撮像手段により撮像されている撮像画像から顔を検出し、
前記表示制御手段は、前記検出手段により検出され、切り出された顔画像を画像表示部に表示することを特徴とする請求項２乃至７の何れか１項に記載の撮像装置。
【請求項９】
前記検出手段により検出された複数の顔の順位を決定する顔順位決定手段を更に有し、
前記表示制御手段は、前記顔順位決定手段により決定された顔の順位にしたがって、顔画像を画像表示部に表示することを特徴とする請求項８に記載の撮像装置。
【請求項１０】
前記検出手段は、前記撮像手段により撮像されている撮像画像のうち合焦している被写体を検出し、
前記表示制御手段は、前記検出手段により検出された合焦している被写体の画像を画像表示部に表示することを特徴とする請求項２乃至７の何れか１項に記載の撮像装置。
【請求項１１】
前記モード設定手段により撮像画像非表示モードが設定されている場合、
前記表示制御手段は、前記検出手段による検出結果に応じた画像を所定のタイミングで更新して画像表示部に表示することを特徴とする請求項１乃至１０の何れか１項に記載の撮像装置。
【請求項１２】
前記表示制御手段は、前記検出手段により新たな顔を検出した場合、前記検出手段により検出されていた顔が検出されなくなった場合又は前記検出手段により検出している顔の数が変化した場合、前記検出手段による検出結果に応じた画像を更新して画像表示部に表示することを特徴とする請求項１１に記載の撮像装置。
【請求項１３】
前記検出手段により検出された複数の顔の順位を決定する顔順位決定手段を更に有し、
前記表示制御手段は、前記顔順位決定手段により複数の顔の順位が変化した場合、前記検出手段による検出結果に応じた画像を更新して画像表示部に表示することを特徴とする請求項１１に記載の撮像装置。
【請求項１４】
前記表示制御手段は、合焦している特定の被写体が前記検出手段により新たに検出された場合、前記検出手段による検出結果に応じた画像を更新して画像表示部に表示することを特徴とする請求項１１に記載の撮像装置。
【請求項１５】
前記表示制御手段は、前記検出手段により検出された前記特定の被写体の位置が撮像画像内で変化した場合、前記検出手段による検出結果に応じた画像を更新して画像表示部に表示することを特徴とする請求項１１に記載の撮像装置。
【請求項１６】
前記撮像画像非表示モードは、前記撮像画像表示モードよりもフォーカスレンズの動作速度が速いクイック撮影モードであることを特徴とする請求項１乃至１５の何れか１項に記載の撮像装置。
【請求項１７】
被写体を撮像する撮像手段と、
前記撮像手段により撮像されている撮像画像を画像表示部に表示する表示制御手段と、
前記撮像手段により撮像されている撮像画像から特定の被写体を検出する検出手段と、
前記表示制御手段により撮像画像を画像表示部に連続的に表示する撮像画像表示モードと撮像画像を画像表示部に表示しない撮像画像非表示モードとの何れかのモードに設定するモード設定手段とを有する撮像装置の制御方法であって、
前記モード設定手段により撮像画像非表示モードが設定されている場合、
前記表示制御手段が前記検出手段による検出結果に応じた画像を画像表示部に表示する表示ステップを有することを特徴とする撮像装置の制御方法。
【請求項１８】
被写体を撮像する撮像手段と、
前記撮像手段により撮像されている撮像画像を画像表示部に表示する表示制御手段と、
前記撮像手段により撮像されている撮像画像から特定の被写体を検出する検出手段と、
前記表示制御手段により撮像画像を画像表示部に連続的に表示する撮像画像表示モードと撮像画像を画像表示部に表示しない撮像画像非表示モードとの何れかのモードに設定するモード設定手段とを有するコンピュータに前記モード設定手段により撮像画像非表示モードが設定されている場合、前記表示制御手段が前記検出手段による検出結果に応じた画像を画像表示部に表示する表示ステップを実行させるためのプログラム。
【発明の詳細な説明】
【技術分野】
【０００１】
本発明は、デジタルカメラ等の撮像装置、その制御方法及びプログラムに関するものである。特に、シャッタータイムラグを短縮できる、いわゆるクイック撮影モードに設定できる撮像装置に用いられて好適である。
【背景技術】
【０００２】
従来、デジタルカメラ等の撮像装置では、撮影前の待機状態においても撮像素子からの画像信号をＬＣＤ等に表示し続けることができる。したがって、ユーザはＬＣＤに表示された画角を確認しながらフレーミングを行い、所望の画角とタイミングでシャッターボタンを押すことが可能である。
一方、ユーザがシャッターボタンを押した場合、ＡＦ（オートフォーカス）処理、ＡＥ（自動露出）処理、ＡＷＢ（オートホワイトバランス）処理、ＥＦ（フラッシュプリ発光）処理等の後に撮影処理が行われる。したがって、実際に撮影したいタイミングに対してタイムラグが存在する。そこで、撮影前の待機状態においても継続的にＡＦ処理を行い、フォーカスをある程度合わせておくことで、シャッターボタンが押されてから行うＡＦ処理の時間を短縮する方法が考えられる。
【０００３】
撮影前の待機状態において継続的にＡＦ処理を行う場合、ＬＣＤに表示される撮像画像が大きく乱れることを防ぐための対策が必要となる。例えば、特許文献１では、フォーカスのずれた画像をユーザに見せないようにするために、焦点評価値が低い場合にＬＣＤ表示の更新を行わないようにしている。
また、他の対策として、フォーカスレンズの動作速度や範囲に制限をかける方法がある。フォーカスレンズの動作速度や範囲に制限をかける場合、完全にフォーカスを合わせ続けることが困難であるため、シャッターボタンが押されてから行うＡＦ処理の時間も短縮されないことが多い。
【０００４】
そこで、撮影前の待機状態においてＬＣＤ表示を行わず、フォーカスレンズの動作速度や範囲に制限をかけないでフォーカスを合わせ続けることで、シャッターボタンが押されてから行うＡＦ処理の時間を短縮する機能を有するカメラがある。この機能を「クイック撮影」と呼び、クイック撮影を行うモードについては「クイック撮影モード」と呼ぶことにする。クイック撮影モードで撮影を行う際には、撮像素子からの画像信号がＬＣＤに表示されないため、ユーザは主に光学ビューファインダを使用することによりフレーミングを行う。
【先行技術文献】
【特許文献】
【０００５】
【特許文献１】特開２００３−３２５２１号公報
【発明の概要】
【発明が解決しようとする課題】
【０００６】
上述したようにクイック撮影モードでは、ユーザは主に光学ビューファインダを使用することによりフレーミングを行う。したがって、ユーザはカメラが検出している顔情報やフォーカスを合わせている位置等、従来ＬＣＤに表示される撮像画像から判断していた情報を確認することができないという問題がある。
本発明は、上述したような問題点に鑑み、撮像画像が連続的に画像表示部に表示されるモードに設定されていない場合であっても、特定の被写体の撮像状態をユーザが認識できるようにすることを目的とする。
【課題を解決するための手段】
【０００７】
本発明は、被写体を撮像する撮像手段と、前記撮像手段により撮像されている撮像画像を画像表示部に表示する表示制御手段と、前記撮像手段により撮像されている撮像画像から特定の被写体を検出する検出手段と、前記表示制御手段により撮像画像を画像表示部に連続的に表示する撮像画像表示モードと撮像画像を画像表示部に表示しない撮像画像非表示モードとの何れかのモードに設定するモード設定手段とを有する撮像装置であって、前記モード設定手段により撮像画像非表示モードが設定されている場合、前記表示制御手段は、前記検出手段による検出結果に応じた画像を画像表示部に表示することを特徴とする。
【発明の効果】
【０００８】
本発明によれば、撮像画像が連続的に画像表示部に表示されるモードに設定されていない場合であっても、特定の被写体の撮像状態をユーザが認識できる。
すなわち、例えば、撮像画像が連続的に画像表示部に表示されないクイック撮影モードであっても、検出している顔情報やフォーカスを合わせている位置等が表示されるため、ユーザはこれらの情報を確認した上で撮影を行うことができる。
【図面の簡単な説明】
【０００９】
【図１】第１の実施形態に係る撮像装置の構成を示す図である。
【図２】従来のクイック撮影モードにおける撮影動作の一例を示す概要図である。
【図３】従来のクイック撮影モードにおける撮影動作の一例を示す概要図である。
【図４】第１の実施形態の表示制御処理を示すフローチャートである。
【図５】第１の実施形態の表示画像の一例を示す概要図である。
【図６】第１の実施形態の表示画像の一例を示す概要図である。
【図７】第２の実施形態の表示画像の一例を示す概要図である。
【発明を実施するための形態】
【００１０】
以下、図面を参照して本実施形態に係る撮像装置について説明する。ここでは、撮像装置としてカメラを取り上げて説明する。
（第１の実施形態）
図１は、本実施形態のカメラの構成を示す図である。
カメラ１００は、フォーカスレンズを含む撮影レンズ１０、絞り機能を備えるシャッター１２、光学像を電気信号に変換する撮像素子１４、撮像素子１４のアナログ信号出力をデジタル信号に変換するＡ／Ｄ変換器１６、タイミング発生回路１８を含んで構成される。
タイミング発生回路１８は、メモリ制御回路２２及びシステム制御回路５０により制御され、撮像素子１４、Ａ／Ｄ変換器１６、Ｄ／Ａ変換器２６にクロック信号や制御信号を供給する。
【００１１】
カメラ１００は、画像処理回路２０、メモリ制御回路２２、画像表示メモリ２４、Ｄ／Ａ変換器２６、外部出力コネクタ２７、画像表示部２８、システム制御回路５０を含んで構成される。
画像処理回路２０は、Ａ／Ｄ変換器１６からのデータ或いはメモリ制御回路２２からのデータに対して所定の画素補間処理や色変換処理を行う。また、画像処理回路２０は、撮像した画像データを用いて所定の演算処理を行う。この演算結果に基づいて、システム制御回路５０が露光制御部４０、測距制御部４２に対して制御を行う、ＴＴＬ（スルー・ザ・レンズ）方式のＡＦ（オートフォーカス）処理、ＡＥ（自動露出）処理、ＥＦ（フラッシュプリ発光）処理を行っている。さらに、画像処理回路２０は、撮像した画像データを用いて所定の演算処理を行い、得られた演算結果に基づいてＴＴＬ方式のＡＷＢ（オートホワイトバランス）処理も行っている。
【００１２】
メモリ制御回路２２は、Ａ／Ｄ変換器１６、タイミング発生回路１８、画像処理回路２０、画像表示メモリ２４、Ｄ／Ａ変換器２６、メモリ３０、圧縮伸長回路３２を制御する。Ａ／Ｄ変換器１６により変換されたデータは、画像処理回路２０、メモリ制御回路２２を介して又は直接、メモリ制御回路２２を介して、画像表示メモリ２４又はメモリ３０に書き込まれる。
外部出力コネクタ２７は、Ｄ／Ａ変換器２６により変換されたデータを外部モニタに出力する。なお、外部出力コネクタ２７にコネクタが挿入されている場合、後述する外部出力コネクタ接続検知部１０８により、システム制御回路５０が外部出力状態を認識できる。
【００１３】
画像表示部２８は、例えばＴＦＴ  ＬＣＤ等である。画像表示メモリ２４に書き込まれた表示用の画像データは、Ｄ／Ａ変換器２６を介して、この画像表示部２８により表示される。画像表示部２８を用いて撮像した画像データを連続的に表示すれば、電子ファインダ機能を実現することが可能である。また、画像表示部２８は、システム制御回路５０の指示により任意に表示をオン／オフすることが可能であり、表示をオフにした場合にはカメラ１００の電力消費を大幅に低減することができる。さらに、画像表示部２８は、回転可能なヒンジ部によってカメラ１００本体と結合されており、自由な向き、角度を設定して電子ファインダ機能や再生表示機能、各種表示機能を使用することが可能である。
また、画像表示部２８の表示部分をカメラ１００に向けて格納することが可能であり、この場合、後述する画像表示部開閉検知部１０６により、システム制御回路５０が格納状態を検知して画像表示部２８の表示動作を停止することができる。
システム制御回路５０は、カメラ１００全体を制御する。
【００１４】
また、カメラ１００は、メモリ３０、圧縮伸長回路３２、露光制御部４０、測距制御部４２、ズーム制御部４４、バリア制御部４６、フラッシュ４８、メモリ５２、表示部５４を含んで構成されている。
メモリ３０は、撮影した静止画像や動画像のデータを格納する。メモリ３０は、所定枚数の静止画像や所定時間の動画像のデータを格納するのに十分な記憶容量を備え、複数枚の静止画像を連続して撮影する連射撮影やパノラマ撮影の場合にも、高速かつ大量の画像書き込みを行うことが可能である。また、メモリ３０は、システム制御回路５０の作業領域としても使用することが可能であり、記録媒体２００の書き込みバッファとしても使用することが可能である。
【００１５】
圧縮伸長回路３２は、適応離散コサイン変換（ＡＤＣＴ）等により画像データを圧縮伸長する。圧縮伸長回路３２は、メモリ３０に格納された画像データを読み込んで圧縮処理又は伸長処理を行い、処理を終えたデータをメモリ３０に書き込む。
露光制御部４０は、絞り機能を備えるシャッター１２を制御する。また、露光制御部４０は、フラッシュ４８と連携することによりフラッシュ調光機能も有するものである。
測距制御部４２は、撮影レンズ１０のフォーカシングを制御する。ズーム制御部４４は、撮影レンズ１０のズーミングを制御する。バリア制御部４６は、バリアである保護部１０２の動作を制御する。
また、露光制御部４０、測距制御部４２は、ＴＴＬ方式を用いて制御されていて、撮像した画像データを画像処理回路２０によって演算した演算結果に基づき、システム制御回路５０が露光制御部４０、測距制御部４２に対して制御を行う。
フラッシュ４８は、ＡＦ補助光の投光機能及びフラッシュ調光機能も有する。
【００１６】
メモリ５２は、システム制御回路５０の動作用の定数、変数、プログラム等を記憶する。
表示部５４は、システム制御回路５０のプログラムの実行に応じて、文字、画像、音声等を用いて動作状態やメッセージ等を表示する液晶表示装置である。表示部５４は、カメラ１００の操作部近辺の視認し易い位置に単数又は複数設置される。表示部５４は、例えばＬＣＤやＬＥＤ、発音素子等の組み合わせにより構成されている。
また、表示部５４は、その一部の機能が光学ファインダ１０４内に設置されている。表示部５４の表示内容のうちＬＣＤ等に表示するものとしては、シングルショット／連写撮影表示、セルフタイマー表示、圧縮率表示、記録画素数表示、記録枚数表示、残撮影可能枚数表示、シャッタースピード表示、絞り値表示、露出補正表示である。他に表示するものとしては、フラッシュ表示、赤目緩和表示、マクロ撮影表示、ブザー設定表示、時計用電池残量表示、電池残量表示、エラー表示、複数桁の数字による情報表示、記録媒体２００の着脱状態表示、通信Ｉ／Ｆ動作表示、日付け・時刻表示等である。また、表示部５４の表示内容のうち光学ファインダ１０４内に表示するものとしては、合焦表示、手振れ警告表示、フラッシュ充電表示、シャッタースピード表示、絞り値表示、露出補正表示等である。
【００１７】
また、カメラ１００は、不揮発性メモリ５６、モードダイアルスイッチ６０、シャッタースイッチ６２、６４、操作部７０、電源制御部８０、コネクタ８２、８４、電源部８６、インタフェース９０、コネクタ９２、記録媒体着脱検知部９８を含んで構成される。
不揮発性メモリ５６は、電気的に消去・記録可能なメモリであり、例えばＥＥＰＲＯＭ等である。モードダイアルスイッチ６０、シャッタースイッチ（ＳＷ１）６２、シャッタースイッチ（ＳＷ２）６４及び操作部７０は、ユーザがシステム制御回路５０に対して各種の動作指示を入力するため操作手段である。操作手段は、スイッチやダイアル、タッチパネル、視線検知によるポインティング、音声認識装置等の単数或いは複数の組み合わせで構成される。
【００１８】
以下、操作手段について具体的に説明する。
モードダイアルスイッチ６０は、電源オフ、自動撮影モード、撮影モード（ライブビュー撮影モード、クイック撮影モード、動画撮影モード含む）、再生モード、マルチ画面再生・消去モード、ＰＣ接続モード等の各機能モードを切り替え設定することができる。なお、撮影モードにおけるライブビュー撮影モードとは、撮像した画像データを画像表示部２８に連続して表示する、上述した電子ファインダ機能を実現することができるモード（撮像画像表示モード）である。
シャッタースイッチ（ＳＷ１）６２は、シャッターボタンの操作途中でオンとなり、ＡＦ（オートフォーカス）処理、ＡＥ（自動露出）処理、ＡＷＢ（オートホワイトバランス）処理、ＥＦ（フラッシュプリ発光）処理等の動作開始を指示する。
シャッタースイッチ（ＳＷ２）６４は、シャッターボタンの操作完了でオンとなり、一連の撮影処理の動作開始を指示する。撮影処理とは、撮像素子１４から読み出した信号をＡ／Ｄ変換器１６、メモリ制御回路２２を介してメモリ３０に画像データを書き込む露光処理、画像処理回路２０やメモリ制御回路２２での演算を用いた現像処理である。さらに、メモリ３０から画像データを読み出し、圧縮伸長回路３２で圧縮を行い、記録媒体２００に画像データを書き込む記録処理も含まれる。また、動画撮影の場合は動画撮影の開始・停止を指示する。
【００１９】
操作部７０は、各種ボタンやタッチパネル等からなり、メニューボタン、セットボタン、マクロボタン、マルチ画面再生改ページボタン、フラッシュ設定ボタン、単写/連写/セルフタイマー切り替えボタンである。他にメニュー移動＋（プラス）ボタン、メニュー移動−（マイナス）ボタン、再生画像移動＋（プラス）ボタン、再生画像−（マイナス）ボタン、撮影画質選択ボタン、露出補正ボタン、日付／時間設定ボタン等が含まれる。
【００２０】
電源制御部８０は、電池検出回路、ＤＣ−ＤＣコンバータ、通電するブロックを切り替えるスイッチ回路等により構成されている。電源制御部８０は、電池の装着の有無、電池の種類、電池残量の検出を行い、検出結果及びシステム制御回路５０の指示に基づいてＤＣ−ＤＣコンバータを制御し、必要な電圧を必要な期間、記録媒体を含む各部へ供給する。
電源部８６は、アルカリ電池やリチウム電池等の一次電池やＮｉＣｄ電池やＮｉＭＨ電池、Ｌｉ電池等の二次電池、ＡＣアダプター等である。
インタフェース９０は、メモリカードやハードディスク等の記録媒体２００との間の接続を制御する。コネクタ９２は、記録媒体２００と接続を行う。
記録媒体着脱検知部９８は、コネクタ９２に記録媒体２００が装着されているか否かを検知する。
【００２１】
なお、本実施形態では、記録媒体２００を取り付けるインタフェース及びコネクタが１系統の場合である。しかしながら、記録媒体２００を取り付けるインタフェース及びコネクタは、単数又は複数、何れかの系統数を備える構成であってもよい。また、異なる規格のインタフェース及びコネクタを組み合わせて備える構成であってもよい。
インタフェース及びコネクタとしては、ＰＣＭＣＩＡカードやＣＦ（コンパクトフラッシュ（登録商標））カード等の規格に準拠したものを用いて構成してよい。この場合、ＬＡＮカードやモデムカード、ＵＳＢカード、ＩＥＥＥ１３９４カード、Ｐ１２８４カード、ＳＣＳＩカード、ＰＨＳ等の通信カード等の各種通信カードを接続することができる。そして、他のコンピュータやプリンタ等の周辺機器との間で画像データや画像データに付属した管理情報を相互に転送し合うことができる。
【００２２】
また、カメラ１００は、保護部１０２、光学ファインダ１０４、画像表示部開閉検知部１０６、外部出力コネクタ接続検知部１０８、通信部１１０、コネクタ１１２、マイク１１４、Ａ／Ｄ変換器１１６、スピーカ１１８、Ｄ／Ａ変換器１２０を含んで構成される。
保護部１０２は、カメラ１００の撮影レンズ１０を含む撮像部を覆うことにより、撮像部の汚れや破損を防止するバリアである。光学ファインダ１０４は、画像表示部２８による電子ファインダ機能を使用することなく撮影を行うことを可能にする。また、光学ファインダ１０４内には、表示部５４の一部の機能、例えば合焦表示、手振れ警告表示、フラッシュ充電表示、シャッタースピード表示、絞り値表示、露出補正表示等が配置される。
【００２３】
画像表示部開閉検知部１０６は、画像表示部２８が、画像表示部２８の表示面をカメラ１００側に向けて格納した格納状態にあるか否かを検知する。ここで、画像表示部２８の格納状態を検知した場合、画像表示部２８の表示動作を停止して電力消費を低減することができる。
外部出力コネクタ接続検知部１０８は、外部出力コネクタ２７に外部モニタが接続されているか否かを検知する。ここで、接続状態であると検知したならば画像表示部２８の代わりに外部モニタを表示装置として用いることが可能である。
通信部１１０は、ＲＳ２３２ＣやＵＳＢ、ＩＥＥＥ１３９４、Ｐ１２８４、ＳＣＳＩ、モデム、ＬＡＮ、無線通信等の各種通信機能を有する。
コネクタ１１２は、通信部１１０によりカメラ１００を他の機器と接続する。なお、無線通信の場合はアンテナである。
【００２４】
マイク１１４は、音声データを取得する。Ａ／Ｄ変換器１１６は、マイク１１４で得られた音声データをシステム制御回路５０が取得できるようにＡ／Ｄ変換する。
スピーカ１１８は、音声データ再生する。Ｄ／Ａ変換器１２０は、システム制御回路５０から出力されるデジタル音声データをスピーカ１１８で再生するためにＤ／Ａ変換する。
【００２５】
また、カメラ１００には、記録媒体２００が装着される。記録媒体２００は、メモリカードやハードディスク等である。記録媒体２００は、半導体メモリや磁気ディスク等から構成される記録部２０２、カメラ１００とのインタフェース２０４、カメラ１００と接続を行うコネクタ２０６を備えている。また、記録媒体２００がＰＣＭＣＩＡ規格のＰＣ−ＣａｒｄやＣＦカード等の場合は、性能が記憶されている情報記憶回路を内蔵していることがある。
【００２６】
次に、カメラ１００がクイック撮影モードに設定されている場合の動作処理について説明する。
ユーザがモードダイアルスイッチ６０を操作してクイック撮影モードに切り替えた場合、システム制御回路５０は、撮影モードをクイック撮影モードに設定する。この処理は、モード設定手段による処理の一例に対応する。また、システム制御回路５０は、撮像した画像データ（撮像画像）を画像表示部２８に表示することを停止する。すなわち、クイック撮影モードは、撮像画像を画像表示部２８に表示しないモード（撮像画像非表示モード）である。また、システム制御回路５０は、フォーカスレンズの動作速度や範囲の制限をかけないＡＦ処理を行う。これにより、撮影前の待機状態において継続的にフォーカスを合わせ続けることができ、ユーザがシャッターボタンを押したときの撮影処理までのタイムラグを短縮できる。
【００２７】
しかしながら、従来、クイック撮影モードでは、システム制御回路５０が検出している顔情報やフォーカスを合わせている位置等、画像表示部２８に表示された撮像画像から判断していた情報をユーザが確認できない。ここで、図２および図３を参照して、従来のクイック撮影モードでは顔情報やフォーカスを合わせている位置等が確認できないことについて説明する。
【００２８】
図２（ａ）は、カメラ１００の画像表示部２８を示している。画像表示部２８には、カメラ１００で設定されているシャッタースピードや絞り値等を表示していて、撮像されている画像データが表示されていない。そこで、ユーザは光学ファインダ１０４を用いて、構図内に人物Ａ、人物Ｂおよび人物Ｃの３人を確認した上で、シャッターボタンを押したものとする。このとき、ユーザは、優先的にフォーカスを合わせて撮影したい人物の顔をＡとして考えていたものとする。
【００２９】
次に、図２（ｂ）は、撮影したときに実際にシステム制御回路５０が検出した人物の顔を示す画像データの図である。図２（ｂ）では、システム制御回路５０が検出した顔のうち、優先してフォーカスさせた顔（主顔）の領域を実線の枠で示し、優先させていない顔の領域を破線で示している。
図２（ｂ）に示すように、システム制御回路５０はユーザが優先して撮影したい人物の顔と異なる顔を主顔として検出し、さらに人物Ｃの顔を検出していない。すなわち、ユーザは、システム制御回路５０がフォーカスを合わせている顔が、ユーザが意図した顔でない場合であっても、システム制御回路５０が検出した結果を確認できずに撮影を行うこととなる。
【００３０】
また、図３（ａ）も、カメラ１００の画像表示部２８を示していて、撮像されている画像データが表示されていない。そこで、ユーザは光学ファインダ１０４を用いて、構図内に物体Ａ、物体Ｂおよび物体Ｃの被写体を３つ確認した上で、シャッターボタンを押したものとする。このとき、ユーザは、優先的にフォーカスを合わせて撮影したい物体をＡとして考えていたものとする。
【００３１】
次に、図３（ｂ）は、撮影したときに実際にシステム制御回路５０がフォーカスした物体を示す画像データの図であり、フォーカスした物体を実線の枠で示している。
図３（ｂ）に示すように、システム制御回路５０はユーザが優先して撮影したい物体と異なる物体をフォーカスして撮影している。すなわち、ユーザは、システム制御回路５０がフォーカスを合わせている位置が、ユーザが意図した位置でない場合であっても、確認できずに撮影を行うこととなる。
【００３２】
次に、カメラが検出している顔情報やフォーカスを合わせている位置等をユーザが確認した上で撮影が行える本実施形態に係るカメラ１００の動作処理について、図４〜図７を参照して説明する。
図４は、クイック撮影モードにおける表示制御処理を示すフローチャートである。このフローチャートによる処理は、システム制御回路５０が例えばメモリ５２に格納されたプログラムを実行することにより実現する。このフローチャートは、ユーザによるモードダイアルスイッチ６０の操作に応じて、システム制御回路５０が撮影モードをクイック撮影モードに設定した後に開始される。
【００３３】
まず、ステップＳ１０１では、システム制御回路５０は、現在のカメラモードが顔を検出するモードであるか否かを判定する。このカメラモードは、ユーザが操作部７０を介した操作に応じて、システム制御回路５０が設定する。顔を検出するモードの場合は、ステップＳ１０２に処理を進める。
ステップＳ１０２では、システム制御回路５０は、特定の被写体として顔の検出（顔検出）を行う。顔検出とは、撮像画像内から顔の位置や大きさ、顔の数と各顔の優先順位といった顔情報を検出することである。
【００３４】
ステップＳ１０３では、システム制御回路５０は、顔検出により取得した顔情報に基づいて、撮像画像内から各顔画像を切り出して、図５に示すように、画像表示部２８内の所定の位置に表示する。ここでは、図５に示すように、ユーザが光学ファインダ１０４を用いて人物Ａ、人物Ｂおよび人物Ｃの３人を含むようにフレーミングしているものとする。そして、図５に示すように、システム制御回路５０は、画像表示部２８の顔表示領域５００に切り出した顔画像５０１Ａ、５０１Ｂ、５０１Ｃを表示する。このとき、システム制御回路５０は、各顔の優先順位を決定する。この処理は、顔順位決定手段による処理の一例に対応する。さらに、システム制御回路５０は、決定した顔の順に顔画像を並べる等して、ユーザに各顔の優先順位がわかるように表示する。また、システム制御回路５０は、各顔画像が顔表示領域５００の所定のサイズ内に収まるように、撮像画像内の顔画像をリサイズ処理して表示する。このとき、画像表示部２８内の各顔画像以外の領域には、シャッタースピードや絞り値等の撮影情報を表示する。なお、システム制御回路５０が各顔の優先順位を決定する場合、撮像画像内の中心に近い顔ほど優先順位が高くなるように決定したり、不揮発性メモリ５６等に登録されている顔情報と一致する顔を優先順位が高くなるように決定したりする。
【００３５】
ステップＳ１０４では、システム制御回路５０は、ユーザにより撮影の操作、すなわちシャッターボタン（ＳＷ２）６４が押下されたか否かを判定する。撮影の操作が行われた場合、ステップＳ１０５に処理を進める。
ステップＳ１０５では、システム制御回路５０は、撮影処理を行い、ステップＳ１０３に処理を戻す。
一方、ステップＳ１０４において、撮影の操作が行われていないと判定した場合、ステップＳ１０６に処理を進める。
【００３６】
ステップＳ１０６では、システム制御回路５０は、顔検出により取得した顔情報において、新たな顔を検出したり検出していた顔が検出されなくなったりして、顔の数や各顔の優先順位といった顔情報に変化があるか否かを判定する。変化がある場合、ステップＳ１０７に処理を進める。
ステップＳ１０７では、システム制御回路５０は、新たに取得した顔情報に基づいて、撮像画像内から各顔画像を切り出して、画像表示部２８内の所定の位置に再表示し、その後、ステップＳ１０４に処理を戻す。
一方、ステップＳ１０６において、顔情報に変化がないと判定した場合、ステップＳ１０８に処理を進める。
【００３７】
ステップＳ１０８では、システム制御回路５０は、ユーザがモードダイアルスイッチ６０によりクイック撮影モードを終了する操作をしたか否かを判定する。クイック撮影モードを終了する操作をした場合、クイック撮影モードを終了する。クイック撮影モードを終了する操作をしていない場合、ステップＳ１０４に処理を戻す。
【００３８】
一方、ステップＳ１０１において、現在のカメラモードが顔を検出するモードでないと判定した場合、ステップＳ１０９に処理を進める。
ステップＳ１０９では、システム制御回路５０は、ＡＦ処理を行った結果、フォーカスを合わせている領域（ＡＦ枠）の情報を検出する。システム制御回路５０は、検出した情報に基づいて、撮像画像内からＡＦ枠内画像を切り出し、図６に示すように、画像表示部２８内の所定の位置に表示する。ここでは、図６に示すように、ユーザが光学ファインダ１０４を用いて物体Ａ、物体Ｂおよび物体Ｃの３つを含むようにフレーミングしているものとする。そして、図６に示すように、システム制御回路５０は、ピント位置表示領域６００に切り出した画像６０１Ａを表示する。このとき、システム制御回路５０は、画像表示部２８の対応表示領域６０２に、表示しているＡＦ枠内画像が撮像画像内のどこに対応しているのかを示すＡＦ枠６０３を併せて表示する。また、システム制御回路５０は、ＡＦ枠内画像がピント位置表示領域６００の所定のサイズ内に収まるように、ＡＦ枠内画像をリサイズ処理して表示する。なお、画像表示部２８内のＡＦ枠内画像以外の領域には、シャッタースピードや絞り値等の撮影情報を表示する。
【００３９】
ステップＳ１１０では、システム制御回路５０は、ユーザにより撮影の操作、すなわちシャッターボタン（ＳＷ２）６４が押下されたか否かを判定する。撮影の操作が行われた場合、ステップＳ１１１に処理を進める。
ステップＳ１１１では、システム制御回路５０は、撮影処理を行い、ステップＳ１０９に処理を戻す。
一方、ステップＳ１１０において、撮影の操作が行われていないと判定した場合、ステップＳ１１２に処理を進める。
【００４０】
ステップＳ１１２では、システム制御回路５０は、ＡＦ処理によりＡＦ枠内で新たに非合焦から合焦へと変化した場合やＡＦ枠位置が変化した場合等、取得したＡＦ枠情報が変化したか否かを判定する。変化がある場合、ステップＳ１１３に処理を進める。
ステップＳ１１３では、システム制御回路５０は、新たなに取得したＡＦ枠情報に基づいて、撮像画像内からＡＦ枠内画像を切り出して、画像表示部２８内の所定の位置に再表示し、その後、ステップＳ１１０に処理を戻す。
一方、ステップＳ１１２において、ＡＦ枠情報に変化がないと判定した場合、ステップＳ１１４に処理を進める。
【００４１】
ステップＳ１１４では、システム制御回路５０は、ユーザがモードダイアルスイッチ６０によりクイック撮影モードを終了する操作をしたか否かを判定する。クイック撮影モードを終了する操作をした場合、クイック撮影モードを終了する。クイック撮影モードを終了する操作をしていない場合、ステップＳ１１０に処理を戻す。
【００４２】
このように、本実施形態によれば、クイック撮影モードであっても、カメラが検出している顔情報やフォーカスを合わせている位置を画像表示部に表示するために、ユーザはこれらの情報を確認した上で撮影を行うことができる。
【００４３】
（第２の実施形態）
第１の実施形態では、各顔画像又はＡＦ枠内画像を画像表示部２８内の所定の位置に表示する形態について説明した。本実施形態では、撮像画像内の各顔の位置又はＡＦ枠の位置に対応するように画像表示部２８内に表示する。なお、カメラ１００の構成および他の処理については、第１の実施形態と同様であって、その説明は省略する。
ここで、本実施形態に係るカメラの画像表示部２８内の表示例について図７を参照して説明する。図７では、図５と同様、ユーザが光学ファインダ１０４を用いて人物Ａ、人物Ｂおよび人物Ｃの３人を含むようにフレーミングしているものとする。
【００４４】
システム制御回路５０は、画像表示部２８に撮像画像内の各顔の位置に対応させて、人物Ａ〜人物Ｃの顔画像７０１Ａ、７０１Ｂ、７０１Ｃを表示する。このとき、システム制御回路５０は、優先的にフォーカスを合わせて撮影したい人物の顔画像（主顔）をユーザが識別できるように、他の顔画像と異なる色の枠で囲んで表示したり、図７に示すように実線枠で囲んで表示したりする。なお、図７に示す表示例では、シャッタースピードや絞り値等の撮影情報の上に、顔画像を表示している。
また、ＡＦ枠についても同様に、システム制御回路５０は、画像表示部２８に撮像画像内のＡＦ枠の位置に対応させて、ＡＦ枠内画像を表示する。
【００４５】
このように、本実施形態によれば、撮像画像内の各顔の位置又はＡＦ枠の位置に対応させて画像表示部内に表示するので、ユーザは各顔の位置又はＡＦ枠の位置をより直感的に把握することができる。
なお、表示した各顔画像又はＡＦ枠内画像によって、シャッタースピードや絞り値等の撮影情報が隠れてしまうこともあるために、撮影情報の表示は行わないようにしてもよい。
【００４６】
第１の実施形態および第２の実施形態によれば、各顔画像又はＡＦ枠内画像を画像表示部２８内の所定の位置に再表示するタイミングは、顔情報やＡＦ枠情報に変化があった場合のみである。したがって、画像表示部２８による表示は、通常のフレームレートより遅いタイミングで行うことができ、システム制御回路５０の負荷も低減できる。
また、表示される各顔画像又はＡＦ枠内画像は、顔検出やＡＦ処理の結果に基づき、正常に検出された顔画像又は正常に合焦した領域の画像のみが更新されていくため、ユーザがこれらの情報を確認しやすいという利点がある。
【００４７】
上述した本発明の実施形態における撮像装置を構成する各手段、並びにその制御方法の各ステップは、コンピュータ（システム制御回路）がメモリ等に格納されたプログラムを動作することによって実現できる。このプログラム及びこのプログラムを記録したコンピュータ読み取り可能な記録媒体は本発明に含まれる。
【００４８】
また、本発明は、例えば、システム、装置、方法、プログラムもしくは記録媒体等としての実施形態も可能であり、具体的には、複数の機器からなるシステムに適用してもよい。
【００４９】
なお、本発明は、上述した実施形態の機能を実現するソフトウェアのプログラムを、システム又は装置に直接、又は遠隔から供給する。そして、そのシステム又は装置のコンピュータが前記供給されたプログラムコードを読み出して実行することによっても達成される場合を含む。
【符号の説明】
【００５０】
１０：撮影レンズ  １４：撮像素子  ２０：画像処理回路  ２８：画像表示部
５０：システム制御回路  ６０：モードダイアルスイッチ
６２：シャッタースイッチ（ＳＷ１）  ６４：シャッタースイッチ（ＳＷ２）
７０：操作部
【図１】
2010288240.tif 000003
【図２】
2010288240.tif 000004
【図３】
2010288240.tif 000005
【図４】
2010288240.tif 000006
【図５】
2010288240.tif 000007
【図６】
2010288240.tif 000008
【図７】
2010288240.tif 000009